(57)【特許請求の範囲】
【請求項１】
調整軸に嵌合される嵌合部を有する摘子装置において、
上記嵌合部を有する比重３未満の合成樹脂により形成された摘子本体の摘み部の外表面に、ポリアミド系合成樹脂を有する比重３以上の複合材料により形成された表面層を設け、この表面層と摘子本体とを２色成形により一体成形したことを特徴とする摘子装置。
【請求項２】
請求項１記載の摘子装置において、
上記表面層は、ポリアミドをベースレジンにすると共に酸化亜鉛を充填材として加えて比重を約３．８とした複合材料により形成したことを特徴とする摘子装置。
【請求項３】
請求項１記載の摘子装置において、
上記摘子本体は、アクリロニトリル・ブタジエン・スチレン樹脂又はポリスチレンにより形成したことを特徴とする摘子装置。
【請求項４】
請求項１記載の摘子装置において、
上記嵌合部は、上記摘子本体に設けられた筒軸部に形成し、この筒軸部には弾性変形を許容するためのスリットを設けたことを特徴とする摘子装置。
【発明の詳細な説明】
【０００１】
【発明の属する技術分野】
本発明は、電子機器や機械器具その他の装置の調整軸に嵌合固定され、回動や摺動等の調整操作等を行う際の摘み具合を良くするために用いられる操作ツマミ等の摘子装置に関するものである。
【０００２】
【従来の技術】
従来、一般に、この種の摘子装置としては、例えば、図４〜図７に示すようなものが知られている。
【０００３】
図４及び図５に示す摘子装置１（第１の従来例）は、ＡＢＳ樹脂（アクリロニトリル・ブタジエン・スチレン樹脂）による射出成形によって成形された操作ツマミである。この操作ツマミ１は、単一材料のＡＢＳ樹脂にて形成された摘子本体２のみから構成されているもので、この摘子本体２は、筒体の一端が閉じられたようなキャップ状の摘み部３と、この摘み部３の凹側の中央部に突設された筒軸部４とを備えている。筒軸部４には外周面の一部が平面とされた嵌合手段としての平面部４ａが設けられている。そして、この平面部４ａにはスリット４ｂが形成されていて、この筒軸部４の穴が嵌合穴５を構成している。
【０００４】
このような構成を有する操作ツマミ１は、図４に示すように、電子機器６の操作ツマミとして使用されている。この電子機器６は、電気回路やその他の構成部品が収納された装置本体７と、この装置本体７の前面に取り付けられたフロントパネル８等を備えている。フロントパネル８の内部には、複数の支持脚９を介してプリント配線基板１０が取り付けられており、このプリント配線基板１０にボリューム調整装置１１が取り付けられている。
【０００５】
このボリューム調整装置１１は、ボリューム調整機構が内蔵されたボリューム筐体１２と、このボリューム筐体１２に回転自在に支持された調整軸１３とを備えている。ボリューム調整装置１１の調整軸１３には、その外周部を平面状に切り欠くことによって形成された平面部１３ａが設けられている。この調整軸１３を嵌合穴５に嵌合することにより操作ツマミ１が調整軸１３と回転方向に一体とされ、操作ツマミ１の回動によりボリューム調整装置１１のボリュームを調整することができるようになっている。
【０００６】
このようなＡＢＳ樹脂製の摘子本体２のみからなる操作ツマミ１は、成形が容易であって最も安価に製造できることから、この種の電子機器等における操作ツマミとして広く使用されているものである。
【０００７】
ところで、例えば、オーディオ装置等の電子機器の高級機種においては、アルミニウム合金製の操作ツマミが使用されている。これは、アルミニウム合金製の操作ツマミが重量感、質感等を備えており、視覚の観点ばかりでなく触覚の観点からも使用者に高級感を与える等の理由によるものである。ところが、アルミニウム合金製の操作ツマミは高価であるため、このようなアルミニウム合金製操作ツマミを使用すると装置全体のコストアップを招くことになるという問題を生ずる。
【０００８】
一方、最近の化学工業の発達により、アルミニウム合金と同様の重量感、質感等を備えた複合材料が開発され、これがアルミニウム合金製操作ツマミの代用品として使用されるようになってきた。このような複合材料により製作された操作ツマミの例を、図６及び図７に示す。
【０００９】
この図６及び図７に示す摘子装置としての操作ツマミ２１（第２の従来例）は、摘子本体２２とバネスリーブ２６との組み合せによって構成されている。この操作ツマミ２１にバネスリーブ２６が用いられている理由は、摘子本体２２が固くて弾性をほとんど持たないためである。そこで、バネスリーブ２６を調整軸１３と摘子本体２２との間に介在させ、このバネスリーブ２６の弾性力で両者を結合させて、摘子本体２２と調整軸１３とを回転方向へ一体化させることとしている。
【００１０】
即ち、摘子本体２２は、全体が比重の比較的大きな固い材質、例えば、ポリアミド系合成樹脂を有する比重３以上の複合材料（以下「高比重複合材料」という。）により形成されている。この摘子本体２２は、上述した摘子本体２と同様に筒体の一端が閉じられたようなキャップ状の摘み部２３と、この摘み部２３の凹側の中央部に突設された筒軸部２４とを備えている。筒軸部２４には外周面の一部が平面とされた嵌合手段としての平面部２４ａが設けられている。この筒軸部２４の穴が嵌合穴２５を構成している。
【００１１】
バネスリーブ２６は、組立時において調整軸１３と嵌合穴２５との間に介在されるもので、これら調整軸１３及び嵌合穴２５の形状に対応する形状とされている。即ち、バネスリーブ２６は、円筒部２７と平面部２８とを有し、円筒部２７には軸方向へ延びる複数のスリットを設けることによって複数のバネ片２７ａが形成されている。これらのバネ片２７ａは内側へ湾曲するように形成されており、これらのバネ片２７ａで調整軸１３の側面を押圧して調整軸１３との間に摩擦力を生じさせ、これにより操作ツマミ２１が調整軸１３と回転方向に一体となるように構成されている。他のオーディオ装置６及びボリューム調整装置１１の構成は、上述した第１の従来例と同様である。
【００１２】
このような高比重複合材料製の摘子本体２２とバネスリーブ２６とからなる操作ツマミ２１は、アルミニウム合金等の金属材料が持つ重量感、質感等を持つことから、この種の電子機器に高級感を与え、高級機種の操作ツマミとして使用されるようになってきた。
【００１３】
【発明が解決しようとする課題】
しかしながら、このような従来の摘子装置において、第１の従来例に係るＡＢＳ樹脂製の操作ツマミ１の場合には、ＡＢＳ樹脂がそれ自体ある程度の弾性を有することから、筒軸部４を調整軸１３に嵌合させて摘子本体２自体が持つ圧着力で調整軸１３に容易に固着することができるという利点を有するが、製造された操作ツマミが重量感、質感に乏しく、高級感を出すことができないという課題があった。
【００１４】
また、第２の従来例に係る高比重複合材料製の操作ツマミ２１の場合には、複合材料自体が重量感、質感を有し高級感を備えているが、それ自体が固くてほとんど弾性変形を生じないため、使用に際してバネスリーブ２６のような別の部材が必要とされ、取付時の作業に手間がかかって作業性が悪いばかりでなく、部品点数の増加によりコストアップを招くという課題があった。
【００１５】
本発明は、このような従来の課題に鑑みてなされたものであり、比重の異なる二種類の材料を使用して２色成形によって摘子装置を構成し、比重の大きな複合材料が持つ重量感、質感等の特性と、比重の小さな合成樹脂が持つ弾性、組立性等の特性とを併せて備え、電子機器等の調整軸に直接取り付けることができる摘子装置を提供し、上記課題を解決することを目的としている。
【００１６】
【課題を解決するための手段】
上述したような課題等を解決し、上記目的を達成するために、本発明の請求項１に係る摘子装置は、調整軸に嵌合される嵌合部を有する摘子装置において、嵌合部を有する比重３未満の合成樹脂により形成された摘子本体の摘み部の外表面に、ポリアミド系合成樹脂を有する比重３以上の複合材料により形成された表面層を設け、この表面層と摘子本体とを２色成形により一体成形したことを特徴としている。
【００１７】
本発明の請求項２に係る摘子装置は、表面層は、ポリアミドをベースレジンにすると共に酸化亜鉛を充填材として加えて比重を約３．８とした複合材料により形成したことを特徴としている。
【００１８】
また、本発明の請求項３に係る摘子装置は、摘子本体をアクリロニトリル・ブタジエン・スチレン樹脂又はポリスチレンにより形成したことを特徴としている。
【００１９】
更に、本発明の請求項４に係る摘子装置は、嵌合部を摘子本体の筒軸部に形成し、この筒軸部には弾性変形を許容するためのスリットを設けたことを特徴としている。
【００２０】
本発明の請求項１に係る摘子装置は、上述のように構成したことにより、内部の摘子本体は比較的軟らかい合成樹脂で形成されているため電子機器等の調整軸に直接且つ容易に取り付けることができ、また、外部の表面層は比較的固い複合材料で形成されているため重量感、質感を与えて高級感を持たせることができる。
【００２１】
本発明の請求項２に係る摘子装置は、アルミニウム合金のような重量感、質感を有し、使用者に高級感を与えることができる複合材料により形成された表面層が得られる。
【００２２】
また、本発明の請求項３に係る摘子装置は、電子機器等の調整軸に直接且つ容易に取り付けることができる摘子本体が得られる。
【００２３】
更に、本発明の請求項４に係る摘子装置は、嵌合部に調整軸を嵌合させることによって筒軸部に弾性変形を生じさせ、調整軸に対して簡単且つ確実に固定することができる。
【００２４】
【発明の実施の形態】
以下、本発明の実施の形態を図面を参照して説明する。図１〜図３は、本発明の実施の例を示すもので、電子機器の一具体例を示すオーディオ装置のボリューム調整装置に取り付けられてボリューム調整に使用される操作ツマミに適用したものである。即ち、図１は本発明に係る摘子装置の一実施例を示す操作ツマミとオーディオ装置のボリューム調整装置を示す断面図、図２は同じく操作ツマミとボリューム調整装置を示す斜視図、図３はオーディオ装置の全体構成を示す斜視図である。
【００２５】
図１及び図２に示すように、本発明の摘子装置の一具体例を示す操作ツマミ３１は、摘子本体３２の外表面に表面層３３を設け、この表面層３３と摘子本体３２とを２色成形により一体成形して構成したものである。摘子本体３２は、筒体の一方の端部を閉じたようなキャップ状に形成された摘み部３４と、この摘み部３４の凹側の中央部に突設された筒軸部３５と、摘み部３４の内面と筒軸部３５の外面との間に介在された複数個の補強用リブ３６と、摘み部３４の外表面に重ね合わされた表面層３３とを備えている。
【００２６】
摘子本体３２の摘み部３４は、円盤状の端面板３４ａと、この端面板３４ａの外周縁において一面側に突出するように連続して設けられた筒状の円筒体３４ｂとを有している。筒軸部３５は、端面板３４ａの中央部において円筒体３４ｂと同方向に突出するように形成されており、この筒軸部３５の外周面の一部には、軸方向へ延びて平面とされた嵌合手段の一具体例を示す平面部３５ａが設けられている。この平面部３５ａには、軸方向の中途部まで延びるスリット３５ｂが形成されており、このスリット３５ｂを設けたことにより筒軸部３５の先端部に適当な大きさの弾性が付与されている。この筒軸部３５の内部に設定された穴が嵌合部の一具体例を示す嵌合穴３７を構成しており、この嵌合穴３７には調整軸１３が嵌合される。
【００２７】
摘子本体３２の補強用リブ３６は、筒軸部３５の外周に等角度間隔に配置されており、半径方向内側はスリット３５ｂの先端部近傍から立上げられ、その中途部から傾斜されて円筒体３４ｂの開放側端部まで達するように形成されている。これらの補強用リブ３６で円筒体３４ｂを補強することにより摘子本体３２の剛性を高めて、摘子本体３２を摘んだ際に十分な反発力が生ずるようにしている。尚、筒軸部３５の嵌合穴３７内には、調整軸１３の挿入量を制限するためのストッパ片３７ａが設けられている。
【００２８】
このような構成を有する摘子本体３２の材質としては、ＡＢＳ樹脂（アクリロニトリル・ブタジエン・スチレン樹脂）又はポリスチレン（ＰＳ）等の合成樹脂、特に、ＡＢＳ樹脂が好適である。そのため、この実施例においては、摘子本体３２の材料としてＡＢＳ樹脂を用いて、射出成形により一体成形している。ここで、摘子本体３２の材質としてＡＢＳ樹脂又はポリスチレンが好適であるのは、次のような理由によるものである。
【００２９】
即ち、ポリスチレンは、一般に、密度1.04〜1.07ｇ・ｃｍ-3、軟化点８０〜１００℃の固体であり、水やアルコール、脂肪族炭化水素に不溶であって、酸及びアルカリに安定であるという性質を有する。そして、電気絶縁性が良好で高周波特性に優れ、溶融流動性がよいために成形しやすく熱安定性もよく、複雑な形状のものを容易に成形できるという優れた特徴を有することによるものである。但し、ポリスチレンは、機械的強度が比較的低く、特に耐衝撃性が低いという不十分な点を有する。このようなポリスチレンの耐衝撃性を改善し、且つ良好な力学的性質を有するように作られたのがＡＢＳ樹脂である。従って、この点から、摘子本体３２の材質としては、ポリスチレンよりもＡＢＳ樹脂の方が好適な材料であると言うことができる。
【００３０】
このような摘子本体３２の摘み部３４の外表面に設けられる表面層３３は、ポリアミド系合成樹脂を有する比重３以上の複合材料（高比重複合材料）により形成されている。このような高比重複合材料の具体例としては、例えば、住友ベークライト株式会社製フライホイール用高比重材料「スミコンＦＭ−ＰＦ３７０（商標）」を適用することができる。この高比重複合材料は、ナイロン−６（ポリアミド）をベースポリマにして、充填材として酸化亜鉛（ＺｎＯ）を配合してできたもので、その配合割合は、ポリアミド１０〜３０重量パーセント（ｗｔ％）に対して酸化亜鉛９０〜７０重量パーセント（ｗｔ％）である。
【００３１】
このフライホイール用高比重材料「スミコンＦＭ−ＰＦ３７０（商標）」は、表１に示すような数値（代表値）の一般物性を持っている。
【００３２】
【表１】
0004119001.tif 000002
【００３３】
この高比重複合材料「スミコンＦＭ−ＰＦ３７０（商標）」は、オーディオ機器の回転部の安定性を高めることによりワウ・フラッタを少なくするために使用されるフライホイール用に開発されたもので、従来のプラスチックホイール材料に比べて優れた性能バランスを有しており、成形性も良く、金型摩耗が少ないという特性を持っている。そして、次のような特徴を備えている。
１．機械的強度が高く、特に、耐熱性に優れる。
２．金型摩耗が小さい。
３．寸法安定性がよい。
４．耐電防止効果があり、着色が可能である。
５．二次加工性が良く、穴あけもできる。
【００３４】
このような構成を有する操作ツマミ３１は、図３に示すように、例えば、電子機器の一具体例を示すステレオ・オーディオ装置４０の一部を構成するＦＭ／ＡＭチューナ付ステレオプリメインアンプ４１の操作ツマミとして使用されている。このステレオ・オーディオ装置４０は、ＦＭ／ＡＭチューナ付ステレオプリメインアンプ４１とコンパクトディスクプレーヤ４２とミニディスクデッキ４３と一対のスピーカシステム４４ａ，４４ｂとを備えており、ステレオプリメインアンプ４１の正面略中央部に操作ツマミ３１が取り付けられている。
【００３５】
このステレオプリメインアンプ４１は、図１に示すように、オーディオ回路やその他の構成部品が収納された装置本体４７と、この装置本体４７の前面に取り付けられたフロントパネル４８等を備えている。４９ａ，４９ｂは、装置本体４７の下面に取り付けられた脚体であり、これら脚体４９ａ，４９ｂの高さ調整を行うことによりステレオプリメインアンプ４１の水平調整を行うことができる。
【００３６】
また、フロントパネル４８の内部には、複数の支持脚４８ａを介してプリント配線基板５０が取り付けられている。このプリント配線基板５０には、所定の配線パターンがプリント印刷等の配線手段によって形成されており、その一面に搭載された電子部品の一具体例を示すボリューム調整装置５１がカシメ等の固着手段により固定されている。そして、プリント配線基板５０は、これに設けた透孔にネジ部が挿通される複数の取付ネジ５２を各支持脚４８ａに締めつけることにより、フロントパネル４８に固定支持されている。
【００３７】
このフロントパネル４８に取り付けられたボリューム調整装置５１は、ボリューム調整機構等が内蔵されたボリューム筐体５４と、このボリューム筐体５４に回転自在に支持された調整軸５５とを備えている。ボリューム筐体５４の前部はフロントパネル４８を前面側に貫通しており、この前部から前方に調整軸５５が突出されている。この調整軸５５には、その外周の一部を平面状に切り欠くことによって嵌合手段としての平面部５５ａが設けられている。この調整軸５５を操作ツマミ３１の嵌合穴３７に嵌合することにより、操作ツマミ３１が調整軸５５と回転方向に一体とされ、操作ツマミ３１の回動によりボリューム調整装置５１のボリュームを調整することができる。
【００３８】
この場合、操作ツマミ３１の筒軸部３５を含む摘子本体３２は、比重が３未満であって比較的軟らかい材質のＡＢＳ樹脂（又はＰＳ）によって形成されているため、嵌合穴３７と調整軸５５の寸法がシマリバメの関係にあるようなときにも、調整軸５５の挿入力に対して筒軸部３５に弾性変形を生じさせることができる。そのため、操作ツマミ３１を調整軸５５に直接取り付けることができると共に、その取付作業を極めて簡単且つ迅速に行うことができる。従って、この種の操作ツマミ３１における組立性を向上できると共に、従来のバネスリーブ２６のような別部品の使用を廃止してコストダウンを図ることができる。
【００３９】
また、摘子本体３２と２色成形で一体成形される表面層３３は、ポリアミド系合成樹脂を有する比重が３以上の複合材料、具体的には比重３．７８の「スミコンＦＭ−ＰＦ３７０（商標）」で形成されており、この複合材料は、手で摘んだときの触感がアルミニウム合金等の金属が持つ重量感、質感等と同等のものである。この操作ツマミ３１によれば、ポリアミドをベースレジンとするものでありながら、金属が持つ高級感を使用者に与えることができる。従って、この操作ツマミ３１を回動操作する者は、摘み部３４を摘むことにより、触覚にて金属が持つ重量感や質感を感じつつ回動操作することができる。
【００４０】
尚、「スミコンＦＭ−ＰＦ３７０（商標）」は、その表面にメッキ処理を施すことが困難である一方、塗装を施すことが可能であるため、視覚の点からも金属感を生じさせるためには、シルバーやゴールド等の金属色の塗装を施すことが好ましい。
【００４１】
以上説明したが、本発明は上記実施の例に限定されるものではなく、例えば、上記実施の例においては、電子機器の操作ツマミに適用した例について説明したが、機械器具や化学機械その他の装置の摘子装置として適用することができるものである。更に、上記実施の例では操作ツマミを回動させる例について説明したが、操作ツマミを直線的に移動操作するものであっても良いことは勿論である。
【００４２】
また、上記実施の例では、調整軸５５に平面部５５ａを設けてこれと見合う形状の嵌合穴３７を操作ツマミ３１に設けた例について説明したが、この他にも、例えば調整軸の外周面に凹凸を設けてローレット軸やスプライン軸等に形成し、これらに見合う穴を操作ツマミ３１に設ける構成としても良い。更に、これら及び上記実施例とは逆に、摘子装置には軸部を設け、これに嵌合される穴を電子機器に設ける構成とすることもできる。このように、本発明は、その趣旨を逸脱しない範囲で種々変更できるものである。
【００４３】
【発明の効果】
以上説明したように、本発明の請求項１に係る摘子装置によれば、比重３未満の合成樹脂により形成された摘子本体の摘み部の外表面に、ポリアミド系合成樹脂を有する比重３以上の複合材料により形成された表面層を設け、この表面層と摘子本体とを２色成形により一体成形する構成としたため、比較的軟らかい合成樹脂で形成された摘子本体を用いて電子機器等の調整軸に直接且つ容易に取り付けることができると共に、外の表面層は比較的固い高比重複合材料によって重量感、質感が与えられることから、高級感を有する摘子装置を提供することができるという効果が得られる。
【００４４】
本発明の請求項２に係る摘子装置によれば、表面層を、ポリアミドをベースレジンにすると共に酸化亜鉛を充填材として加えて比重を約３．８とした複合材料により形成する構成としたため、アルミニウム合金のような金属が持つ重量感、質感を有し、使用者に高級感を与えることができる複合材料により形成された表面層を有する摘子装置を提供することができる。
【００４５】
また、本発明の請求項３に係る摘子装置によれば、摘子本体を、アクリロニトリル・ブタジエン・スチレン樹脂又はポリスチレンにより形成する構成としたため、電子機器等の調整軸に直接且つ容易に取り付けることができる摘子本体を有する摘子装置を提供することができる。
【００４６】
更に、本発明の請求項４に係る摘子装置によれば、嵌合部を摘子本体の筒軸部に形成し、この筒軸部には弾性変形を許容するためのスリットを設ける構成としたため、嵌合部に調整軸を嵌合させることによって筒軸部に弾性変形を生じさせ、調整軸に対して簡単且つ確実に固定できる摘子装置を提供することができる。
【図面の簡単な説明】
【図１】本発明に係る摘子装置の一実施例を示す操作ツマミと電子装置としてのオーディオ装置に取り付けられたボリューム調整装置を示す断面図である。
【図２】図１に示す操作ツマミとボリューム調整装置を示す斜視図である。
【図３】図１に示す操作ツマミが使用されたオーディオ装置の全体構成を示す斜視図である。
【図４】従来の摘子装置と電子装置の第１の例を示す断面図である。
【図５】図４に示す操作ツマミとボリューム調整装置を示す斜視図である。
【図６】従来の摘子装置と電子装置の第２の例を示す断面図である。
【図７】図６に示す操作ツマミとボリューム調整装置を示す斜視図である。
【符号の説明】
３１…操作ツマミ（摘子装置）、  ３２…摘子本体、  ３３…表面層、  ３４…摘み部、  ３５…筒軸部、  ３７…嵌合穴（嵌合部）、  ４０…オーディオ装置（電子機器）、  ５１…ボリューム調整装置、  ５５…調整軸、  ５５ａ…平面部（嵌合手段）
【図１】
0004119001.tif 000003
【図２】
0004119001.tif 000004
【図３】
0004119001.tif 000005
【図４】
0004119001.tif 000006
【図５】
0004119001.tif 000007
【図６】
0004119001.tif 000008
【図７】
0004119001.tif 000009